(57)【要約】  本発明は、柔軟性袋（１４）、筐体（１２）、ハンドル（１６）を含むシェービング装置を備える。ハンドルは、内部空洞（２２）、外部グリップ部（２０）、作動装置（２４）を含む。柔軟性袋は所定の幅を持ち、流動性物質（３４）を貯蔵するために作動する。柔軟性袋は、少なくとも部分的にハンドルの内部空洞に配置される。筐体は少なくとも一つのポート（１８）を有し、柔軟性袋の内容物と流体連通する。駆動機構（４８）は、ピンチローラ（４６）を内部空洞の上端部に引き寄せるよう作動し、柔軟袋の体積を減少させる。【選択図】          図４
2007516791.tif 000002
【特許請求の範囲】
【請求項１】
流動性シェービングエイド物質を貯蔵し、所定の幅を有し、ハンドルの内部空洞に配置される一つの柔軟性袋と、
少なくとも一つのポートを有し、少なくとも一つのポートが柔軟性袋の内容物と流体連通する一つの筐体と、
一つの内部空洞と、一つの外部グリップ部と、一つの作動装置を有し、前記作動装置が一つのピンチローラと一つの支持組立体と一つの駆動機構とを含む一つのハンドルとを含み、
前記ピンチローラは前記袋に隣接し、実質上前記袋の幅に沿って伸長し、
前記駆動機構が前記ピンチローラを前記内部空洞の上端部に向けて引くよう作動することにより、前記柔軟性袋の体積を減少する、
シェービング装置。
【請求項２】
剃刀カートリッジが装着され、前記剃刀カートリッジが少なくとも一つの剃刀刃をさらに含む、請求項１記載のシェービング装置。
【請求項３】
筐体が剃刀カートリッジを配置する開口部を画定する、請求項２記載のシェービング装置。
【請求項４】
柔軟性袋に配置される流動性シェービングエイドをさらに含む、請求項１記載のシェービング装置。
【請求項５】
支持組立体が少なくとも部分的にハンドルの内部空洞に伸長する少なくとも一つの支持柱を含む、請求項１記載のシェービング装置。
【請求項６】
ピンチローラが少なくとも一つの支持柱に摺動自在に装着される、請求項５記載のシェービング装置。
【請求項７】
ピンチローラが曲面を有する、請求項１記載のシェービング装置。
【請求項８】
ピンチローラが円筒である、請求項７記載のシェービング装置。
【請求項９】
駆動機構がピンチローラと連結する回転自在の一つの軸と第一方向に軸を回転させる一つのぜんまいとを含む、請求項１記載のシェービング装置。
【請求項１０】
一つのコンベヤーが一つの滑車とピンチローラを軸に連結する一つのベルトとを含み、ベルトが軸と滑車との周りに巻き付き、軸が第一方向に回転する場合に、ベルトがピンチローラを内部空洞の上端部の方に移動するようピンチローラがベルトに連結する、請求項９記載のシェービング装置。
【請求項１１】
一つのコードが一つのピンチローラを一つの軸に連結し、コードの第一端部が軸に接続し、コードの第二端部がピンチローラに接続し、軸が第一方向に回転する場合に、コードがピンチローラを内部空洞の上端部の方に移動するよう作動する、請求項９記載のシェービング装置。
【請求項１２】
コードが実質上平面である、請求項１１記載のシェービング装置。
【請求項１３】
選択的に開放位置と閉鎖位置との間を移動するよう作動する一つの歯止めをさらに含み、閉鎖位置にある歯止めが軸と係合することにより軸が回転するのを実質上阻止し、開放位置にある歯止めが軸から離脱することにより軸が回転する、請求項９記載のシェービング装置。
【請求項１４】
一つの歯止めと一つの軸とが、ピンチローラを徐々に空洞の上端部に向けて移動させる補完的歯止め機構を含む、請求項１３記載のシェービング装置。
【請求項１５】
歯止めを開放位置と閉鎖位置との間を移動するよう作動する歯止めと連携する押下式ボタンをさらに含む、請求項１３記載のシェービング装置。
【請求項１６】
少なくとも部分的に内部空洞に位置する一つの裏板を含み、柔軟性袋の少なくとも一部分が裏板とピンチローラとの間に位置する、請求項１記載のシェービング装置。
【請求項１７】
一つの裏板と、
流動性シェービングエイド物質を貯蔵する一つの柔軟性袋と、
少なくとも一つの剃刀刃を有する一つの剃刀カートリッジと、
少なくとも一つのポートを有し、少なくとも一つのポートが剃刀カートリッジに隣接し、柔軟性袋の内容物と流体連通する一つの筐体とを含む、
シェービング装置用取替用カートリッジ。
【請求項１８】
筐体が剃刀カートリッジを配置する開口部を画定する、請求項１９記載の取替用カートリッジ装置。
【請求項１９】
柔軟性袋に配置される流動性シェービングエイドをさらに含む、請求項１９記載の取替用カートリッジ装置。
【請求項２０】
一つの内部空洞と、一つの外部グリップ部と、一つの作動装置とを含み、前記作動装置が一つのピンチローラと一つの支持組立体と一つの駆動機構とを含む一つのハンドルと、
前記ハンドルの内部空洞に少なくとも部分的に挿入される剃刀カートリッジであり、一つの裏板と、流動性シェービングエイド物質を貯蔵するよう所定の幅を有する一つの柔軟性袋と、少なくとも一つの剃刀刃を有する一つの剃刀カートリッジと、少なくとも一つのポートを有する一つの筐体とを含み、少なくとも一つのポートが前記剃刀カートリッジに隣接し、前記柔軟性袋の内容物と流体連通する一つの取替用カートリッジとを含み、
前記ピンチローラは前記袋に隣接し、実質上前記袋の幅に沿って伸長し、
前記駆動機構が前記ピンチローラを前記内部空洞の上端部に向けて引くよう作動することにより、前記柔軟性袋の体積を減少し、前記柔軟性袋からシェービングエイド物質を排出する、
シェービング装置。
【請求項２１】
筐体が剃刀カートリッジを配置する開口部を画定する、請求項２２記載のシェービング装置。
【請求項２２】
柔軟性袋に配置される流動性シェービングエイドをさらに含む、請求項２２記載のシェービング装置。
【請求項２３】
支持組立体が少なくとも部分的にハンドルの内部空洞に伸長する少なくとも一つの支持柱を含む、請求項２２記載のシェービング装置。
【請求項２４】
ピンチローラが少なくとも一つの支持柱に摺動自在に装着される、請求項２５記載のシェービング装置。
【請求項２５】
ピンチローラが曲面を有する、請求項２２記載のシェービング装置。
【請求項２６】
ピンチローラが円筒である、請求項２２記載のシェービング装置。
【請求項２７】
駆動機構が、ピンチローラと連結する回転自在の一つの軸と第一方向に軸を回転させる一つのぜんまいとを含む、請求項２２記載のシェービング装置。
【請求項２８】
一つのコンベヤーが一つの滑車とピンチローラを軸に連結する一つのベルトとを含み、ベルトが軸と滑車との周りに巻き付き、軸が第一方向に回転する場合に、ベルトがピンチローラを内部空洞の上端部の方に移動するようピンチローラがベルトに連結する、請求項２９記載のシェービング装置。
【請求項２９】
一つのコードが一つのピンチローラを一つの軸に連結し、コードの第一端部が軸に接続し、コードの第二端部がピンチローラに接続し、軸が第一方向に回転する場合に、コードがピンチローラを内部空洞の上端部の方に移動するよう作動する、請求項２９記載のシェービング装置。
【請求項３０】
コードが実質上平面である、請求項３１載のシェービング装置。
【請求項３１】
選択的に開放位置と閉鎖位置との間を移動するよう作動する一つの歯止めをさらに含み、閉鎖位置にある歯止めが軸と係合することにより軸が回転するのを実質上阻止し、開放位置にある歯止めが軸から離脱することにより軸が回転する、請求項２２記載のシェービング装置。
【請求項３２】
一つの歯止めと一つの軸とが、ピンチローラを徐々に空洞の上端部に向けて移動させる補完的歯止め機構を含む、請求項３３記載のシェービング装置。
【請求項３３】
歯止めを開放位置と閉鎖位置との間を移動するよう作動する歯止めと連携する押下式ボタンをさらに含む、請求項３３記載のシェービング装置。
【請求項３４】
少なくとも部分的に内部空洞に位置する一つの裏板を含み、柔軟性袋の少なくとも一部分が裏板とピンチローラとの間に位置する、請求項２２記載のシェービング装置。
【発明の詳細な説明】
【技術分野】
【０００１】
発明の分野
本発明は、一般的にシェービング装置に係わり、特に流動性シェービングエイド物質を備える機構を有するシェービング装置に関する。
【背景技術】
【０００２】
これまで、剃刀組立品とシェービングエイド物質を塗布する機構との一体化に対して、幾多の試みが成された。例えば、先行技術（特許文献１及び２）には、シェービングエイド物質を貯蔵する装置としてハンドル内部に配置する容器を記載している。シェービングエイド物質は、容器と装置の上端との間を繋げる一つ以上の通路を介して、容器から装置の上端に推進される。ハンドル内部に容器を備える問題点として、適切な量のシェービングエイド物質を収容するためには、扱うには不都合なほど大きなハンドルを製造する必要があることである。ハンドルを適正な大きさにする場合には、収容できるシェービングエイド物質の量が限りなく少なくなる。さらに、液体又はジェル物質を収容する容器を有するシェービング装置に付随するもう一つの問題点として、漏出がある。
【特許文献１】米国特許３，７２６，００９号
【特許文献２】米国特許１，８９９，８４１号
【発明の開示】
【発明が解決しようとする課題】
【０００３】
したがって、先行技術に付随する既知の欠点を解決するシェービング装置を提供することが望ましい。
【課題を解決するための手段】
【０００４】
本発明は、柔軟性袋、筐体、ハンドルを含むシェービング装置を備える。ハンドルは、内部空洞、外部グリップ部、作動装置を含む。柔軟性袋は所定の幅を持ち、流動性シェービングエイド物質を貯蔵するよう作動する。柔軟性袋は、少なくとも部分的にハンドルの内部空洞に配置される。筐体は少なくとも一つのポートを有し、柔軟性袋の内容物と流体連通する。作動装置は、ピンチローラと、支持組立体と、駆動機構とを含む。ピンチローラは袋に隣接し、実質上袋の幅に沿って伸長する。駆動機構はピンチローラを内部空洞の上端部に向けて引き寄せるよう作動し、柔軟性袋の体積を減少させる。
【０００５】
本発明のもう一つの態様において、取替用カートリッジは、裏板、筐体、上述された柔軟性袋を含む。
【発明の効果】
【０００６】
本発明の一つの効果として、本発明のシェービング装置は、液体、クリーム、ジェル等の多様な非固体シェービングエイド物質に対し適用できることである。
【０００７】
本発明のもう一つの効果として、シェービングエイド物質を必要に応じて適用できることである。
【０００８】
本発明の上記及びその他の目的、特徴及び効果は本発明の詳細な説明を考慮して明らかになるであろう。
【発明を実施するための最良の形態】
【０００９】
図１−図３を参照すると、シェービング装置１０は、筐体１２、柔軟性袋１４、ハンドル１６を含む。筐体１２は一つ以上のポート１８を含み、ハンドル１６は、外部グリップ部２０、内部空洞２２、作動装置２４を含む。或る実施態様において、シェービング装置１０は剃刀カートリッジ２６をさらに含む。
【００１０】
剃刀カートリッジ２６は一つ以上の剃刀刃２８を含み、筐体１２及び／又はハンドル１６に固定して又は枢動可能に連結される。或る実施態様において、例えば、図２及び図３に図示されるように、剃刀カートリッジ２６は歯止め３０（後述される）に連結される可能性がある。本発明のシェービング装置１０に対し、使い捨てタイプを含めた多様な剃刀カートリッジ２６を使用することができる。したがって、或る実施態様において、多様な取替用剃刀カートリッジ２６を同等のハンドル１６及び／又は筐体１２に使用することができる。したがって、本発明の装置は、剃刀カートリッジ２６の種別に限定されない。
【００１１】
筐体１２は剃刀カートリッジ２６に隣接する一つ以上のポート１８を含む。筐体１２は外部表面３３を含み、滑らか又は織り目の写った面の形状をなす可能性がある。或る実施態様において、筐体１２は、剃刀カートリッジ２６が設置される開口部３６を画定する可能性がある。筐体１２はハンドル１６に固定して又は枢動可能に連結される。或る実施態様において、筐体１２は、歯止め３０、裏板３２（後述される）、及び／又はハンドル１６に連結される可能性がある。
【００１２】
図２を参照すると、筐体１２の一つ以上のポート１８は、柔軟性袋１４の内容物と流体連通する。各ポート１８は流動性シェーンビングエイド物質３４を通過させる。一般に、各ポート１８の大きさは、柔軟性袋１４に配置される流動性シェービングエイド物質の種類、筐体１２上に配置するポート１８の数、流動性シェービングエイド物質の塗布する量により、決定される。一つ以上のポート１８は、通常のシェービング操作において、剃刀カートリッジ２６の前方及び／又は後方に設置することができる。或いは、或る実施態様において、ポート１８は剃刀カートリッジ２６を実質上包囲している。例えば、剃刀カートリッジ２６が筐体１２のポート１８に設置され、柔軟性袋１４の内容物は、一部の例では剃刀カートリッジ２６を介して排出される。
【００１３】
柔軟性袋１４は流動性シェービングエイド物質を貯蔵し、ハンドル１６の内部空洞２２に配置される。柔軟性袋１４は如何なる柔軟性物質から構成することが可能であり、高さ３６、幅３８及び奥行き（図示せず）を有している。柔軟性袋１４は、ハンドル１６の内部空洞２２を補完する形状を成すことが望ましい。
【００１４】
流動性シェービングエイド物質３４の例として、以下に限定されないが、平滑剤、抵抗減少剤、脱毛剤、洗浄剤、薬剤及びシェービングプロセスを促進する物質を含む。流動性シェービングエイド物質３４の一般的な形態として、液体、クリーム、ジェルが含まれる。
【００１５】
ハンドル１６は、前述されるように、外部グリップ部２０、内部空洞２２、及び作動装置２４を含む。ハンドル１６の外部グリップ部２０は、如何なる形状及び大きさを成す。外部グリップ部２０は保持が容易となるような人間工学的な形状を成すことが好ましい。内部空洞２２は、高さ４０、幅４２及び奥行き（図示せず）を含み、柔軟性袋１４を収容し作動装置２４を格納できる大きさと形状を成す。内部空洞２２は開口端４４を含む。
【００１６】
図２−７を参照すると、作動装置２４はハンドル１６に設置され、柔軟性袋１４の体積を選択的に減少するよう作動する。作動装置２４は袋１４の体積を減少させ、袋１４内部に配置するシェービングエイド物質の排出をもたらす不可欠な力を備える可能性がある。或る実施態様では、後述されるように、力は剃刀カートリッジ２６及び／又は筐体１２の移動により、完全に又は部分的に提供されている。作動装置２４はピンチローラ４６及び駆動機構４８を含み、第一位置５０から第二位置５２にピンチローラ４６を移動する。第二位置５２は内部空洞２２の開口端４４に近隣に位置し、第一位置５０は内部空洞２１の奥に位置されることが好ましい。さらに、作動装置２４はリンケージ５４を含み、或る実施態様において、駆動機構４８に徐々に適用することが可能となる。また、裏板３２（図８を参照）はハンドル１６に設置することができる。柔軟性袋１４に隣接する裏板３２の表面５６は平面、さもなければ曲面である可能性がある。さらに、操作の間に柔軟性袋１４が所望しないけん引、バンチング、折り畳みを防ぐために、裏板３２は柔軟性袋１４に接続することができる。例えば、裏板３２はハンドル１６又は筐体１２に接続することができる。
【００１７】
図２を参照すると、ピンチローラ４６はハンドル１６の内部空洞２２に摺動自在に装着され、ピンチローラ４６は柔軟性袋１４に隣接し、柔軟性袋１４の幅３８に沿って少なくとも部分的に伸長する。ピンチローラ４６は柔軟性袋１４の幅３８全体に伸長することが好ましい。ピンチローラ４６はハンドル１６に設置され、ギャップ５８はピンチローラ４６と裏板３２との間、又はピンチローラ４６と内部空洞壁６０と間に生じる。大部分の実施態様において、ピンチローラ４６と裏板３２（図を参照）との間、又は内部空洞壁６０との間のギャップ５８は、ピンチローラ４６が第二位置５２に移動する場合に、柔軟性袋１４の側面が一緒に挟まれるような大きさとなる。これにより、柔軟性袋１４の内容物は一つ以上のポート１８を介して排出される。好ましい実施態様において、ピンチローラ４６と裏板３２との間、又は内部空洞壁６０との間ギャップ５８の大きさは、第一位置５０及び第二位置５２との間におけるピンチローラ４６の位置に関わらず、実質上同一である。
【００１８】
柔軟性袋１４に隣接するピンチローラ４６の表面６２は曲面であり、ピンチローラ１４が第二位置５２に移動する場合に、ピンチローラ４６が柔軟性袋１４の物質の所望しない膨張、バンチング、折り畳みを防ぐ。図４に図示されているように、ピンチローラ４６は円筒の可能性がある。
【００１９】
図２に示される実施態様において、駆動機構４８は軸６４及びぜんまい６６を含む。駆動機構４８はピンチローラ４６を第二位置５２（図４−７を参照）の方に選択的に移動するよう作動する。
【００２０】
駆動機構４８の軸６４は、ハンドル１６に回転自在に装着される。或る実施態様において、駆動機構４８は裏板３２、ハンドル１６、又は筐体１２に装着される。或る実施態様において、軸６４は柔軟性袋１４の幅３８に少なくとも部分的に沿って伸長する。しかし、軸６４は、図２に示されるように、柔軟性袋１４の幅３８の全体にそって伸長することが好ましい。
【００２１】
図４及び図６を参照すると、ぜんまい６６は軸６４に十分なねじり力を施すことにより、軸６４を第一方向（矢印“Ａ”として記載）に回転させる。或る実施態様において、図４−７に図示されているように、駆動機構は２つのぜんまい６６を含む。しかしながら、本発明は軸６４にねじり力を施すのにスプリングの使用に限定すべきではない。本発明の精神を逸脱することなく、スプリングとは別の潜在的エネルギー装置を使用することが可能である。  
【００２２】
図２及び図３を参照すると、リンケージ５４は歯止め６８及び歯車６９を含む。歯車６９は軸６４に連結される。歯止め６８は、歯車６９に対し、開放位置（図示されない）及び閉鎖位置７０との間を選択的に移動するよう作動する。閉鎖位置７０において、歯止め６８は歯車６９を介して軸６４と係合することにより、ぜんまい６６のねじり力に対抗し、軸６４がいずれの方向に実質上回転することを阻止する。開放位置において、歯止め６８は歯車６９から離脱することにより、ぜんまい６６が軸６４を回転することを許可する。歯止め６８及び歯車６９の組合せは、歯止め６８が開放位置に移動する度に軸６４が徐々に回転することを許可する。
【００２３】
或る実施態様において、歯止め６８は選択的に閉鎖位置７０から開放位置に移動し、及びその逆も同様に外部位置からハンドル１６に移動する。例えば、図８に示すハンドル１６の外部に設置される押下式ボタン７６又は同等の物は、歯止め６８に連結させることが可能であり、歯止め６８が開放位置と閉鎖位置７０との間を移動するよう作動する。
【００２４】
他の実施態様において、歯止め６８は筐体１２及び／又は剃刀カートリッジの移動と連携して、開放位置と閉鎖位置７０との間を移動するよう作動する。これらの実施態様において、筐体１２及び／又は剃刀カートリッジ２６の移動（旋回運動）自体が、又は作動装置２４との組合せが、袋１４内部のシェービングエイド物質の排出をもたらす。  
【００２５】
使用されていない場合、リーフスプリング等（図３参照）の付勢要素７８は、一般的には歯止め６８及び軸６４とをお互いに近づかせ、閉鎖位置に向けて移動させるために使用される。しかしながら、歯止め６８又は軸６４に連結する筐体１２及び／又は剃刀カートリッジ２６に応用される十分な力は、歯止め６８及び軸６４をお互いに離し、開放位置に向けて移動させる。筐体１２及び／又は剃刀カートリッジ２６上の力が解放されると、付勢要素７８は歯止め６８及び軸６４を閉鎖位置７０に戻す傾向がある。
【００２６】
駆動機構４８の軸６４はピンチローラ４６に連結する。或る実施態様において、図４及び図５に示されるように、軸６４はコンペイヤー８０を介して、ピンチローラ４８に連結する。他の実施態様において、図６及び図７に示されるように、軸６４はコード８２を介して、ピンチローラ４６に連結する。
【００２７】
図４及び図５を参照すると、コンベイヤー８０は、軸６４の周りをループ状に巻き付く少なくとも一つの連続ベルト８４と滑車８６を含み、ハンドル１６内部において、第一位置５０の近隣に位置する。図４及び図５に示されるように、或る実施態様において、２つのコンベイヤー８０が使用されている。連続ベルト８４が操作中に離脱するのを阻止するために、連続ベルト８４は実質上軸６４及び滑車８６の周りをピンと張った状態で巻き付くことが好ましい。ピンチローラ４６は、滑車８６と軸６４との間の位置において連続ベルト８４に接続し、軸６４が第一方向（‘Ａ“）に回転するのに伴い、ピンチローラ４６は第二位置５２の方向に移動する（図４参照）。一般には、滑車８６は、ハンドル１６又は裏板３２に回転自在に装着される。
【００２８】
図６及び図７を参照すると、前述したように、或る実施態様において、軸６４はコード８２を介してピンチローラ４６に接続される。コード８２の第一端部８８は軸６４に接続し、コード８２の第二端部９０はピンチローラ４６に接続する。コード８２は、軸６４が第一方向（‘Ａ“）に回転するのに伴い、軸６４の周りに巻き付くことにより、ピンチローラ４６を第二位置５２の方に移動させる。コード８２は、軸６４に幾重にも巻き付きやすいよう実質的に平面であることが望ましい。或る実施態様において、コード８２はぜんまい６６として作用する可能があり、軸６４の周りに巻き付くのに伴い、軸６４にねじり力を備える。これらの実施態様において、安定性を確保するために、ピンチローラ４６は、ハンドル１６内部に少なくとも一つの支持柱９２に摺動自在に装着することができる。支持柱９２は、例えば、筐体１２、裏板３２、又はハンドル１６自体に装着される可能性がある。
【００２９】
図８及び図９を参照すると、取替用カートリッジ９４は、前述したように、筐体１２及び柔軟性袋１４を含む。或る実施態様において、取替用カートリッジ９４は、一つ以上の歯止め６８と、剃刀カートリッジ２６と、裏板３２とを含む可能性がある。前述した取替用カートリッジ９４はハンドル１６の内部に挿入可能である。
【００３０】
操作において、ユーザは歯止め６８を閉鎖位置７０から開放位置への移動をもたらしている。或る実施態様において、ユーザは外部押下ボタン７６を押さなければならない。他の実施態様において、ユーザは筐体１２及び／又は剃刀カートリッジ２６に単に圧力をかける。歯止め６８が開放位置に移動する場合、ぜんまい６６は軸６４を回転させるよう作用する。軸６４が回転するに伴い、ピンチローラ４６は第二位置５２の方に移動する。ピンチローラ４６が移動するに伴い、ピンチローラ４６と裏板３２との間、又はピンチローラ４６と内部空洞壁６０との間の柔軟袋１４を挟むことにより、柔軟袋１４の体積を減少させる。柔軟性袋１４の体積の減少は、柔軟性袋１４の内容物（即ち、流動性シェービングエイド物質）全部を又は一部を、筐体１２の一つ以上のポート１８を介して排出する。したがって、剃刀刃２８が所望しない毛をシェーブする前、又はシェーブする間に、流動性シェービングエイド物質３４は、剃刀カートリッジ２６の近隣の剃毛面に塗布される。
【００３１】
本発明は、詳細な実施態様について示され説明されているが、本発明の当業者は、本発明の範囲を逸脱することなく、多様な変更及び代用ができることを理解するであろう。さらに、本発明の範囲を逸脱することなく、本発明の内容に特定の状況又は物質を適用するように修正することができる。したがって、本発明は前述した開示された特定の実施態様に限定されるべきでなく、添付された特許請求範囲の全ての実施態様を含む。
【図面の簡単な説明】
【００３２】
【図１】本発明のシェービング装置の線図である。
【図２】柔軟性袋の部分的断面図を伴った本発明のシェービング装置の一実施態様の断面図である。
【図３】図２の領域“３”の拡大図であり、歯止め機構を表している。
【図４】コンペヤーを使用する駆動機構の線図である。
【図５】図４に図示された駆動機構の線図であり、ピンチローラが内部空洞の上端部と下端部との間に配置している。
【図６】コードを含む本発明のシェービング装置の一実施態様の断面図である。
【図７】図６のシェービング装置の断面図であり、ピンチローラが内部空洞の上端部と下端部との間に配置している。
【図８】ハンドルに部分的に挿入された取替用カートリッジの一実施態様の分解図である。
【図９】ハンドルに部分的に挿入された取替用カートリッジの一実施態様の断面図である。
【図１】
2007516791.tif 000003
【図２】
2007516791.tif 000004
【図３】
2007516791.tif 000005
【図４】
2007516791.tif 000006
【図５】
2007516791.tif 000007
【図６】
2007516791.tif 000008
【図７】
2007516791.tif 000009
【図８】
2007516791.tif 000010
【図９】
2007516791.tif 000011
【国際調査報告】
2007516791.tif 000012
2007516791.tif 000013
2007516791.tif 000014
2007516791.tif 000015